(57)【要約】      （修正有）【課題】着用が簡易であるとともに、フィット感がよく、着用時に着物のしわや帯のずれが生じにくい等、着用感に優れる角帯を提供する。【解決手段】予め形成された結び目部材３と胴巻部材２とを有する角帯１であって、結び目部材３は胴巻部材２の一端に固定されており、前記胴巻部材２は両端部に相対応するワンタッチテープ４，５を有し、胴回り方向に伸縮することを特徴とする。胴巻部材の全体が胴回り方向に弾性的に伸縮性することが好ましく、胴巻部材の一部が胴回り方向に伸縮するようにしてもよい。【選択図】図１
0003176146.tif 000002
【実用新案登録請求の範囲】
【請求項１】
予め形成された結び目部材と胴巻部材とを有する角帯であって、
前記結び目部材は、前記胴巻部材の一端に固定されており、
前記胴巻部材は、両端部に相対応するワンタッチテープを有し、胴回り方向に伸縮することを特徴とする角帯。
【請求項２】
前記胴巻部材の全体が、胴回り方向に弾性的に伸縮する部材であることを特徴とする、請求項１に記載の角帯。
【請求項３】
前記胴巻部材の一部が胴回り方向に伸縮することを特徴とする、請求項１に記載の角帯。
【請求項４】
前記胴巻部材の結び目部材が固定された一端には、端部が開口した袋状部が形成されており、前記袋状部の内部には、前記ワンタッチテープの一方が固定された伸縮性部材が、開口から引き出し自在に固定されていることを特徴とする、請求項３に記載の角帯。
【請求項５】
前記伸縮性部材の幅は、前記胴巻部材と略同一であることを特徴とする、請求項３又は４に記載の角帯。
【請求項６】
前記胴巻部材の他端は、先細り状に形成され、その先端にワンタッチテープの他方が固定されていることを特徴とする、請求項４又は５に記載の角帯。
【考案の詳細な説明】
【技術分野】
【０００１】
本考案は、和服、特に浴衣に合わせて簡易に装着することのできる角帯に関する。
【背景技術】
【０００２】
従来、簡易に装着できる和装用帯としては、例えば、胴巻部分と文庫部分とが別体として構成されている女性用の浴衣帯である、いわゆる作り帯がある。このような作り帯では、胴巻部分の端に紐が縫着されており、着用者は胴巻部を身体に巻き付けて紐で固定した後、文庫部分を胴巻部の背中側にクリップで係止し、さらに文庫部分も紐止めすることによって着用する。文庫部分には、結び目が予め形作られているため、着用者が自分で結び目を作る必要がなく、簡単に帯を装着することができる。
【０００３】
また、予め形作られた結び目と胴巻部とが一体として形成された軽装帯もある。このような軽装帯としては、例えば、胴巻部用の帯板部とお太鼓部とが一体化され、帯板部の一方端部及び帯板部の巻始側の他方端部に相互に着脱自在な一対のワンタッチテープが設けられ、巻始側のテープと帯板部との間に伸縮可能な弾性部材を介装してなる軽装帯がある（特許文献１）。このワンタッチ和装帯は、ワンタッチテープで簡易に着脱ができ、かつ、ワンタッチテープと帯板部との間に介装されている弾性部材の伸縮によって、着用者の胴のサイズに対する適応性、密着性や適当な締め付け強さを得ることが可能である。
【０００４】
しかしながら、紐で固定する作り帯はフィット感が十分でなく、着用中に緩みやすい、ずれやすいという課題があった。また、ワンタッチテープと弾性部材とを併用したワンタッチ軽装帯は、装着の簡単さとフィット感はある程度改善されているが、帯を装着した時の、着物のしわや帯のずれの発生の問題は無くならず、また、フィット感も必ずしも十分とはいえなかった。
【先行技術文献】
【特許文献】
【０００５】
【特許文献１】実用新案登録第３１５３４０７号公報
【考案の概要】
【考案が解決しようとする課題】
【０００６】
そこで、本考案は、着用が簡易であるとともに、フィット感がよく、着用時に着物のしわや帯のずれが生じにくいなど、着用感に優れた角帯を提供することを目的とする。
【課題を解決するための手段】
【０００７】
本考案者らは、和装用帯について、胴巻部の両端にワンタッチテープを設けて着脱自在とし、さらに、胴巻部自体が胴回り方向（横方向）に伸縮する構成とし、胴巻部と同一ないし略同一幅の伸縮性部材を用いることで、優れた着用感を得られることを見出した。さらに、かかる構成は特に角帯に好適であることを見出し、本考案に至った。
【０００８】
すなわち本考案は、予め形成された結び目部材と胴巻部材とを有する角帯であって、前記結び目部材は前記胴巻部材の一端に固定されており、前記胴巻部材は、両端部に相対応するワンタッチテープが固定されており、胴回り方向に伸縮することを特徴とする。
【０００９】
前記角帯は、胴巻部材の全体が胴回り方向に弾性的に伸縮する部材からなることが好ましい。また、胴巻部材の一部が胴回り方向に伸縮する構成とすることも好ましい。胴巻部材の一部が胴回り方向に伸縮する構成では、結び目部材が固定された一端に、端部が開口した袋状部が形成されており、袋状部の内部には、ワンタッチテープの一方が固定された弾性部材が開口から引き出し自在に固定されていることが好ましい。この場合、伸縮性部材の幅は胴巻部材と略同一であることが好ましく、また、胴巻部材の他端が先細り状に形成され、その先端にワンタッチテープの他方が固定されていることが好ましい。
【考案の効果】
【００１０】
本考案の角帯は予め形成された結び目を有し、ワンタッチテープを止めるだけで着用できるため、帯を自分で結ぶ、又は誰かに結んでもらう必要がなく、誰でも簡易に着用することができる。また、胴巻部材が胴回り方向に伸縮するため、着用者の胴周りに合わせて角帯が伸縮し、様々な胴周りを有する着用者が使用できると同時に、着用者にはフィット感に優れる。また、伸縮性部材の幅が胴巻部材の幅の全体ないし略全体にわたるため、着用者の体形や動作への追随性が良く、着用時に着物のしわや帯のずれが生じにくい。さらに、本発明の角帯は胴周りに一周して端部をワンタッチテープで係止する構造であるため、従来の帯と比較して胴巻部の長さを短く製造することが可能となり、材料コストにも優れる。
【００１１】
胴巻部材の全体が弾性の伸縮性部材からなる場合、角帯の全体が伸縮するためフィット感により優れたものとなり、帯の一部に伸縮性部材が介装される場合よりも、着物の生地のよりが生じにくく、しわの発生が少ない。
また、胴巻部材の一部が胴回り方向に伸縮する場合、特に、胴巻部材の一端に開口した袋状部が形成されており、ワンタッチテープの一方が固定された弾性部材が開口から引き出し自在に固定されている場合には、胴巻部材の外面は伸縮せず、胴巻部材内部に設けられた弾性部材が伸縮するため、優れたフィット感等を維持しつつ、所望の帯地を用いて外見に優れた角帯とできる。
【図面の簡単な説明】
【００１２】
【図１】本発明の角帯の実施例の態様（表面・裏面）を示す図である。
【図２】本発明の角帯の実施例の態様（表面・裏面）を示す図である。
【図３】図２に示された角帯の胴巻部材の両端を拡大した図である。（ａ）は通常時、（ｂ）は伸縮性部材を引き出した図、（ｃ）は係合時である。
【図４】本発明の角帯を着用した図である。
【考案を実施するための形態】
【００１３】
以下、図面に基づいて、本考案に係る角帯について説明する。
【００１４】
図１は、角帯全体の表面、裏面をそれぞれ表している。角帯１は、胴巻部材２と結び目部材３とに大別される。これらは別体として製造された後、胴巻部材２の表面側の一端に、結び目部材３が、例えば縫着、接着等によって固定される。
結び目部材３には予め所望の結び目が形成されている。図１では貝の口であるが、結び目の形状は特に制限されず、所望のものとすることができる。
【００１５】
胴巻部材２は長尺帯状の部材であって、その幅は角帯として一般的な範囲であればよく、８〜１２ｃｍ程度とすることができる。胴巻部材２の長尺方向の長さは、着用者の胴回りに１周してワンタッチテープで固定できる長さであればよいので、６０〜１２０ｃｍ程度の任意の長さとすることができる。
胴巻部材２の表面は、一端に結び目部材３が固定され、他端には例えば、マジックテープ（登録商標）である、ワンタッチテープ４が固定されている。裏面には、結び目部材３が固定された端部側にワンタッチテープ５が固定されている。ワンタッチテープ４及びワンタッチテープ５は相対応して係止できるようになっている。
ワンタッチテープ４，５の大きさは特に制限されず、幅は、例えば３ｃｍ〜胴巻部材の幅を超えない範囲とすることができるが、良好な着用感を得るためには幅広であることが好ましく、胴巻部材２の幅と略同一、すなわち８〜１２ｃｍ程度であることが好ましい。長尺方向の長さは、ワンタッチテープによる係止の強さ（対応するテープ同士の接触面積）を十分にし、かつ、着用者の胴囲に応じた調整を可能とするために、例えば３ｃｍ〜１５ｃｍ程度とすることができ、８〜１２ｃｍ程度とすることが好ましい。ワンタッチテープ４，５の大きさや形状は互いに同一でもよいし、相異なっていてもよい。図１の例では、表面のテープ４よりも、裏面のテープ５が大きい。
【００１６】
胴巻部材２の全体は、長尺方向（胴回り方向）に伸縮する一本の幅広ゴムからなり、末端は折り込み、縫い止め等通常の末端処理をすることができる（末端処理は図示せず）。幅広ゴムの強度等は特に制限されないが、角帯としての外観を保つように、ある程度硬さのある幅広ゴムを用いることが好ましい。硬さが不足した幅広ゴムでは、着用者の体形に沿って帯が変形するため、角帯としてふさわしい外観を得ることができない。
このような幅広ゴムとしては、例えば、ポリウレタンカバーリングヤーンとゴムとを編成した織ゴムが挙げられる。
胴巻部材２と結び目部材３とは同一の素材でも相異なる素材であってもよいが、全体として一本の角帯に見えることが好ましいので、同一の素材とすることが好ましい。
【００１７】
図１の角帯１は、着用者の胴回りに一周し、ワンタッチテープを適当な位置で係止するだけで、ワンタッチで着用することができる。着用時には胴巻部材の両端がテープで固定され、さらに、胴巻部材２の伸縮力によって着用者にフィットするので、緩みが生じることがなく良好なフィット感が得られる。
【００１８】
図２は本考案の別の態様の角帯１の表面、裏面をそれぞれ表している。角帯１は、胴巻部材２と結び目部材３とに大別され、結び目部材３は図１のものと同様であり説明を省略する。
胴巻部材２は長尺帯状の部材であって、幅や長さは図１の態様と同じ範囲である。表面の一端には、結び目部材３が固定されている。結び目部材３が固定されていない側の端部は、胴巻部本体よりも幅狭である先細り状に形成されており、裏面にワンタッチテープ４が固定されている。ワンタッチテープ４の大きさは特に制限されず、先細り形状に合せた形状でもよいし、長方形としてもよい。
胴巻部材２の一端（結び目部材３が固定されている側）には、端部に開口６を有する袋状部７が形成されている。袋状部７の内部には、帯状の伸縮性部材８が固定されている。
【００１９】
伸縮性部材８は、袋状部７の底部９において胴巻部材２に縫着され、先端が胴巻部材２の開口６と略同一位置となる長さである。伸縮性部材８を引き伸ばすことによって、もしくは、袋状部７を押縮することによって、伸縮性部材８を開口６から引き出すことができる。伸縮性部材８の幅は、例えば５ｃｍ〜胴巻部材の幅とすることができ、袋状部７の内部でその動きが制限されない限りにおいて、幅広であることが好ましい。伸縮性部材８としては、例えば幅広ゴム等、一般的な衣料用途の伸縮性の生地等を用いることができる。
伸縮性部材８の先端、表側（結び目部材に近い方の側）には、ワンタッチテープ（図２では図示せず）が固定されている。ワンタッチテープの大きさは特に制限されず、幅は、例えば３ｃｍ〜伸縮性部材８の幅を超えない範囲とすることができるが、良好な着用感を得るためには幅広の方が好ましく、伸縮性部材８の幅と略同一であることが好ましい。長尺方向は、例えば、３ｃｍ〜１５ｃｍ程度とすることができ、ワンタッチテープによる固定の強度と着用者に応じた調整の可能範囲から、５〜１０ｃｍ程度とすることが好ましい。
【００２０】
図２の実施態様の胴巻部材２の帯地は、図１の実施態様と異なり、伸縮性のない帯地を用いることができる。しかしながら、胴巻部材２の袋状部７の内部に縫着された伸縮性部材８が伸縮するので、胴巻部材２全体としては、伸縮可能となる。胴巻部材２の帯地としては特に制限されず、所望に応じた材質、性質の生地を用いることができる。
【００２１】
図３は、図２の胴巻部材２の両端を拡大した図である。理解容易のために結び目部材３を省略し、表面から見た図を示している。胴巻部材２の全体は表地と裏地を縫合した袋帯状であり、末端から約３０ｃｍの箇所（底部９）を縫い止めることで袋状部７を形成している。伸縮性部材８は、袋状部７の底部９において胴巻部材２と一体となるように縫着され、開口６から引き出し可能である。
【００２２】
着用時には図３（ｂ）に示すように袋状部７を押縮し、伸縮性部材８及びワンタッチテープ５を引き出して、他端のワンタッチテープ４と係合する。係合後、袋状部７を元の状態に戻す（図３（ｃ））。胴巻部材２の他端は先細り状であるので、袋状部７に収納容易である。伸縮性部材８が内部に収納され、胴巻部２の両端が接続される。かかる接続部は結び目部材３に隠れるため、外から見えない。
【００２３】
図４は本考案の角帯を着用した図である。本考案の角帯は簡易に装着でき、着用感に優れるとともに、ワンタッチテープによる係止部が結び目の後ろ側に位置するため、つなぎ目は外からは見えず、自然な外見である。
【符号の説明】
【００２４】
１  角帯
２  胴巻部材
３  結び目部材
４、５  ワンタッチテープ
６  開口
７  袋状部
８  伸縮性部材
【図１】
0003176146.tif 000003
【図２】
0003176146.tif 000004
【図３】
0003176146.tif 000005
【図４】
0003176146.tif 000006